(57)【要約】【課題】糸止め及び繰り出しストッパ（棚取り）の両機能を実釣時に支障なく使い分けることができ、幅広い対応を行なうことができる釣糸係止装置を備える魚釣用リールを提供する。【解決手段】本発明の魚釣用リールは、釣糸Ｌを巻回するスプール１０に貫通孔１７を形成し、該貫通孔１７に釣糸係止部４０ａを有する係止部材４０の軸部４０ｂを挿入して弾性的に抜け止め係止することにより、釣糸係止部４０ａとスプール１０との間で釣糸を挟着可能とする釣糸係止装置３０を備える。釣糸係止装置３０は、釣糸Ｌを介して係止部材４０に作用する力をスプール１０の軸方向と該軸方向に対して所定の角度を成す少なくとも１つの方向とに逃がすように係止部材４０を付勢力に抗して移動可能に案内する案内手段４５，４６を有する。【選択図】図２
2010166852.tif 000002
【特許請求の範囲】
【請求項１】
釣糸を巻回するスプールまたはその近傍に貫通孔を形成し、該貫通孔に釣糸係止部を有する係止部材の軸部を挿入して弾性的に抜け止め係止することにより、前記釣糸係止部とスプールとの間で釣糸を挟着可能とする釣糸係止装置を備える魚釣用リールにおいて、
前記釣糸係止装置は、釣糸を介して前記係止部材に作用する力をスプールの軸方向と該軸方向に対して所定の角度を成す少なくとも１つの方向とに逃がすように前記係止部材を付勢力に抗して移動可能に案内する案内手段を有することを特徴とする魚釣用リール。
【請求項２】
前記案内手段は、スプールの軸方向に対して所定の角度を成す方向へ延びる案内孔と、前記係止部材をその移動方向で付勢する付勢部材とを有することを特徴とする請求項１に記載の魚釣用リール。
【請求項３】
前記案内手段は、スプールの軸方向と該軸方向に対して所定の角度を成す互いに反対側に向かう２つの方向とにわたって延びる案内孔と、前記係止部材をその移動方向で付勢する付勢部材とを有することを特徴とする請求項１に記載の魚釣用リール。
【請求項４】
前記案内孔が略扇形状に延びていることを特徴とする請求項３に記載の魚釣用リール。
【請求項５】
前記釣糸係止装置は、前記釣糸係止部とスプールとの間で挟着される釣糸と接触して変形可能な緩衝部材を更に有することを特徴とする請求項１ないし請求項４のいずれか１項に記載の魚釣用リール。
【発明の詳細な説明】
【技術分野】
【０００１】
本発明は、釣糸を係止する釣糸係止装置を備えた魚釣用リールに関する。
【背景技術】
【０００２】
魚釣用リールにおいては、従来から一般に知られるように、スピニングリールのスプールや両軸リールの側板等の適宜部位に、釣糸を係止する釣糸係止装置（糸止め）が設けられている。
【０００３】
例えば、特許文献１に開示される釣糸係止装置は、貫通孔を有するラインホルダ受けをリール本体の外壁に備えており、大径頭部を有するラインホルダの軸部が前記貫通孔内に上下方向にスライド可能に挿入されるとともに、前記軸部がバネ部材によって弾性係止されることにより、大径頭部とラインホルダ受けとの間で釣糸を挟着係止するようになっている。
【０００４】
また、特許文献２に開示される釣糸係止装置は、スプールやリール本体の構成部材に形成された貫通孔内にゴムで一体形成した釣糸係止部材を挿入して弾性的に抜け止め係止することによって構成されている。
【０００５】
一方、前記技術に関連するものとして、例えば特許文献３には、釣糸の保持に関与する保持手段が開示されている。この保持手段は、外側からアクセス可能な側に、釣糸を固定するためのクリップを有するとともに、クリップとは逆の側に、スプールの径方向に延びるガイド凸部を有している。前記ガイド凸部は、スプール軸に対して平行に延びる長手方向破断部内で案内され、その自由端がスプール内に支持された圧縮ばねと接続されている。つまり、保持手段は、圧縮ばねの力に抗してばね変位により双方向に移動できるようにスプールに取り付けられている。
【先行技術文献】
【特許文献】
【０００６】
【特許文献１】実公平４−８７８０号公報
【特許文献２】特許第３３３０４８１号公報
【特許文献３】ＤＥ２０ ２００５ ０１６ ００７ Ｕ１号公報
【発明の概要】
【発明が解決しようとする課題】
【０００７】
ところで、前記釣糸係止装置は、スプールに巻き取られた釣糸の端部を係止してスプールに対する釣糸の巻回状態を保持する糸止めとしての基本的機能以外に、実釣時において釣糸の繰り出し長さを規定（規制）する繰り出しストッパ（沖釣りの場合には、棚取り）としての役目を果たすこともできる。
【０００８】
しかしながら、特許文献１に開示される釣糸係止装置を繰り出しストッパ（棚取り）として使用すると、釣糸の繰り出し停止時に、急激な負荷がラインホルダに対して直接に加わることとなり、ラインホルダが破損する可能性があるだけでなく、繰り出し停止時の衝撃（負荷）によって釣糸が損傷する（あるいは、切れる）可能性もある。特に、投げ釣りの場合の釣糸放出時には、釣糸やラインホルダに激しい衝撃が加わるため、前記問題が顕著になる。
【０００９】
一方、特許文献２に開示される釣糸係止装置を繰り出しストッパ（棚取り）として使用する場合にも問題が生じる。すなわち、釣糸係止部材がゴム材から成るため、釣糸繰り出し停止時の負荷によってゴム材が外側にめくれて、釣糸係止部材から釣糸が外れてしまう可能性がある。また、その際の急激な負荷によって釣糸係止部材が変形してスプールから外れてしまう虞もある。
【００１０】
これに対し、特許文献３に開示された保持手段によれば、仮にこれを繰り出しストッパ（棚取り）として使用しても、保持手段の移動によって釣糸繰り出し停止時の衝撃（負荷）をある程度吸収できると考えられる。しかしながら、保持手段（クリップ）の移動方向が一方向のみであるため、その方向でしか衝撃を吸収することができない。しかも、釣糸がクリップに固定保持された状態にあるため、釣糸がクリップと一体で移動し、したがって、釣糸の動きがクリップにより規制されてしまう。そのため、様々な方向で作用し得る衝撃力(負荷)を十分に吸収し得ない。一般に、釣糸を釣糸係止装置に係止させる方向や釣糸繰り出し停止時のスプールの回転停止位置（釣糸係止装置の周方向位置）によって釣竿の釣糸ガイド側から釣糸係止装置へと延びる釣糸の延在角度は異なり、それに伴って釣糸を介して釣糸係止装置に加わる衝撃力の方向も様々に変化するため、一方向のみの規制された移動だけでは、そのような多様な方向で作用する衝撃力に十分に対応しきれない。更に、特許文献３に開示された保持手段では、釣糸をクリップに通して固定する必要があり、通常の糸止めとしての使用を容易に行なうことができない。
【００１１】
このように、特許文献１ないし特許文献３に開示される構造はいずれも、糸止め及び繰り出しストッパ（棚取り）の両機能を実釣時に支障なく使い分けることができず、幅広い対応を行なうことが難しい。
【００１２】
本発明は、前記事情に着目してなされたものであり、その目的とするところは、糸止め及び繰り出しストッパ（棚取り）の両機能を実釣時に支障なく使い分けることができ、幅広い対応を行なうことができる釣糸係止装置を備える魚釣用リールを提供することにある。
【課題を解決するための手段】
【００１３】
前記課題を解決するために、本発明は、釣糸を巻回するスプールまたはその近傍に貫通孔を形成し、該貫通孔に釣糸係止部を有する係止部材の軸部を挿入して弾性的に抜け止め係止することにより、前記釣糸係止部とスプールとの間で釣糸を挟着可能とする釣糸係止装置を備える魚釣用リールにおいて、前記釣糸係止装置が、釣糸を介して前記係止部材に作用する力をスプールの軸方向と該軸方向に対して所定の角度を成す少なくとも１つの方向とに逃がすように前記係止部材を付勢力に抗して移動可能に案内する案内手段を有することを特徴とする。
【００１４】
上記構成によれば、釣糸を介して係止部材に作用する力が複数の方向で逃がされるため、様々な方向で作用し得る釣糸繰り出し停止時の衝撃（負荷）を十分に吸収（緩和）できる。したがって、繰り出し停止時の衝撃（負荷）による釣糸係止装置の破損および釣糸の摩損、損傷（あるいは、糸切れ）等を防止することができる。また、前記釣糸係止装置では、釣糸が係止部材に固定される構成ではなく、釣糸が単に釣糸係止部とスプールとの間で挟着される構成であるため、釣糸の動きが係止部材によって規制されることがなく、釣糸に作用する力を確実且つ十分に逃がすことができる。つまり、上記構成の釣糸係止装置は、繰り出しストッパ（棚取り）としての機能を実釣時に支障なく果たすことができる。また、上記構成の釣糸係止装置は、付勢力に抗して移動可能な係止部材の釣糸係止部とスプールとの間で釣糸を単に挟着するだけで釣糸を係止するため、通常の糸止めとしての使用を容易に行なうことができる。
【００１５】
また、上記構成において、前記案内手段は、スプールの軸方向に対して所定の角度を成す方向へ延びる案内孔あるいはスプールの軸方向と該軸方向に対して所定の角度を成す互いに反対側に向かう２つの方向とにわたって延びる案内孔（特に略扇形状の案内孔）と、前記係止部材をその移動方向で付勢する付勢部材とを有していても良い。これによれば、釣糸を介して係止部材に作用する力を効果的に分散吸収することができる。更に、上記構成の釣糸係止装置は、前記釣糸係止部とスプールとの間で挟着される釣糸と接触して変形可能な緩衝部材を有していることが好ましい。これによれば、釣糸を介して係止部材に作用する力の分散吸収を更に高めることができる。
【発明の効果】
【００１６】
本発明によれば、糸止め及び繰り出しストッパ（棚取り）の両機能を実釣時に支障なく使い分けることができ、幅広い対応を行なうことができる釣糸係止装置を備える魚釣用リールを提供できる。
【図面の簡単な説明】
【００１７】
【図１】本発明の第１の実施形態に係る魚釣用リールの側面図である。
【図２】図１のＡ−Ａ線に沿う断面図である。
【図３】図２のＢ−Ｂ線に沿う断面図である。
【図４】図２のＣ方向矢視図である。
【図５】図４と同じ対応位置における本発明の第２の実施形態に係る魚釣用リールの釣糸係止装置の平面図である。
【図６】図４と同じ対応位置における本発明の第３の実施形態に係る魚釣用リールの釣糸係止装置の平面図である。
【図７】図３と同じ対応位置における図６の釣糸係止装置の断面図である。
【図８】図２と同じ対応位置における本発明の第４の実施形態に係る魚釣用リールの釣糸係止装置の断面図である。
【図９】図４と同じ対応位置における図８の釣糸係止装置の平面図である。
【発明を実施するための形態】
【００１８】
以下、本発明に係る魚釣用リールの実施形態について、添付図面を参照して具体的に説明する。
【００１９】
図１〜図４は本発明の第１の実施形態を示している。図１に示されるように、本実施形態の魚釣用スピニングリール１は、リール本体１ａと、リール本体１ａから延出する脚部１ｂと、脚部１ｂの端部に形成され且つ図示しない釣竿に取り付けられる竿取付部１ｃとを有している。リール本体１ａには、ドライブギア１２を有する公知の回転駆動機構によってハンドル５の回転操作に連動回転するロータ８と、ハンドル５の回転操作により公知の往復動機構２０を介して前後動するスプール軸１３の先端部（前部）に取り付けられ且つ釣糸Ｌが巻回されるスプール１０とが支持されている。また、ロータ８には、釣糸案内部を有するベール支持部材１５を介して、ベール６が釣糸放出（繰出）位置と釣糸巻取位置とに反転回動自在に支持されている。
【００２０】
このような構成では、ベール６を釣糸放出位置に反転操作して、釣糸を前記釣糸案内部から外した状態で、例えば釣竿を振り下ろす（キャスティングする）と、スプール１０に巻回された釣糸が放出（仕掛けが投擲）される。次に、この状態から、ハンドル５を回転操作すると、例えばベール６が釣糸巻取位置に反転復帰するとともに、スプール１０が前後に往復動しながら、ロータ８が回転駆動する。したがって、スプール１０には、前記釣糸案内部を介して、釣糸が均等に巻回される。
【００２１】
また、本実施形態の魚釣用スピニングリール１では、図２に明確に示されるように、スプール１０の適宜部位には貫通孔１７が形成されており、この貫通孔１７の周囲には、スプール１０の端面で開放する釣糸配置溝１０ａが延在され、また、釣糸配置溝１０ａの周囲には、隆起段差部６７を介して係止部材収容溝１９が延在されている。そして、本実施形態では、釣糸Ｌを係止可能な糸止め及び繰り出しストッパ（棚取り）を兼ねる釣糸係止装置３０が、係止部材収容溝１９から釣糸配置溝１０ａおよび貫通孔１７にわたって配設されている。
【００２２】
具体的には、釣糸係止装置３０は、係止部材収容溝１９内に収容配置される円形の頭部４０ｃと、貫通孔１７内に挿入される軸部４０ｂとを有する係止部材４０を備えている。そして、係止部材４０（釣糸係止装置３０）は、軸部４０ｂに巻回配置され且つスプール１０の内壁に当接係止される付勢部材としてのスプリング４５と、スプール１０内に突出する軸部４０ｂの部位に係着された抜け止め部材４３とによって、スプール１０に対して弾性的に抜け止め係止されている。なお、係止部材４０の頭部４０ｃの外周縁部には、係止部材収容溝１９内へと下方に突出し且つ釣糸配置溝１０ａ内に配置される釣糸Ｌの抜けを防止する抜け止め突起４９が形成されている。
【００２３】
また、係止部材４０は、釣糸Ｌを係止するための釣糸係止部４０ａを形成する緩衝部材５０を有している。この緩衝部材５０は、係止部材４０の軸部４０ｂの周囲に同軸的に装着されており、釣糸配置溝１０ａ内に配置された釣糸Ｌを頭部４０ｃに沿って延在するそのフランジ部５０ａとスプール１０との間で挟持できる（挟着可能）ようになっている。なお、緩衝部材５０は、釣糸配置溝１０ａ内に配置される（釣糸係止部４０ａとスプール１０との間で挟着される）釣糸Ｌと接触して変形できる材料、例えばゴム材などから形成されており、その軸部が軸部４０ｂと共に貫通孔１７内に挿通されている。
【００２４】
また、本実施形態の釣糸係止装置３０は、釣糸Ｌを介して係止部材４０（緩衝部材５０）に作用する力をスプール１０の軸方向と該軸方向に対して所定の角度を成す少なくとも１つの方向とに逃がすように係止部材４０をスプリング４５の付勢力に抗して移動可能に案内する案内手段を有している。本実施形態において、この案内手段は、スプール１０の軸方向に対して所定の角度を成す方向へ延びる案内孔４６と、係止部材４０をその移動方向で（スピニングリール１（スプール１０）の後端側（ハンドル側）へ向けて）付勢する付勢部材としての前記スプリング４５とを有している。特に、本実施形態において、案内孔４６は、前記貫通孔１７によって形成されており、スピニングリール１の後端側から見て例えば右側へとスプール１０の先端側へ向けて直線状（曲線状であっても良い）に延びている（図３および図４参照）。
【００２５】
したがって、このような構成を成す釣糸係止装置３０を糸止めとして使用する場合には、スプール１０に巻き取られた釣糸Ｌの端部を釣糸配置溝１０ａ内に導入して釣糸係止部４０ａ（緩衝部材５０のフランジ部５０ａ）とスプール１０との間に挟持させれば良い。この場合、係止部材４０の頭部４０ｃの外周縁部側から釣糸Ｌを引っ掛けるようにして係止部材４０（緩衝部材５０）の軸部４０ｂ側へと当て付け、スプリング４５のバネ力に抗して係止部材４０を案内孔４６に沿って移動させることにより釣糸Ｌを釣糸配置溝１０ａ内に導き入れる。このようにすれば、係止部材４０がスプリング４５のバネ力によって元の位置に戻ることで、釣糸Ｌが釣糸配置溝１０ａ内に収容保持され、スプール１０に対する釣糸Ｌの巻回状態を保持することができる。このように、上記構成の釣糸係止装置３０は、付勢力に抗して移動可能な係止部材４０の釣糸係止部４０ａとスプール１０との間で釣糸Ｌを単に挟着するだけで釣糸Ｌを係止するため、通常の糸止めとしての使用を容易に行なうことができる。
【００２６】
一方、上記構成の釣糸係止装置３０を繰り出しストッパ（棚取り）として使用する場合には、所望の釣糸放出状態で釣竿の釣糸ガイド側から延びる釣糸Ｌを糸止めの場合と同様の操作により釣糸配置溝１０ａ内に導入して釣糸係止部４０ａ（緩衝部材５０のフランジ部５０ａ）とスプール１０との間に挟持させる。その状態で、釣糸をスプール１０に巻き取った後、再度、釣糸を放出する（繰り出す）と、釣糸係止部４０ａに係止された位置で釣糸Ｌの繰り出しが停止され、その際の急激な負荷が釣糸Ｌおよび係止部材４０（緩衝部材５０）に作用する。しかしながら、本実施形態の釣糸係止装置３０では、その際の衝撃力が、バネ力に抗して案内孔４６に沿って移動する係止部材４０によって複数の方向で逃がされ且つ緩衝部材５０の変形によって吸収緩和されるため、様々な方向で作用し得る釣糸繰り出し停止時の衝撃（負荷）を十分に吸収（緩和）できる。したがって、繰り出し停止時の衝撃（負荷）による釣糸係止装置３０の破損および釣糸Ｌの摩損、損傷（あるいは、糸切れ）等を防止することができる。また、本実施形態の釣糸係止装置３０では、釣糸Ｌが係止部材４０に固定される構成ではなく、釣糸Ｌが単に釣糸係止部４０ａとスプール１０との間で挟着される構成であるため、釣糸Ｌの動きが係止部材４０によって規制されることがなく、釣糸Ｌに作用する力を確実且つ十分に逃がすことができる。つまり、上記構成の釣糸係止装置３０は、繰り出しストッパ（棚取り）としての機能を実釣時に支障なく果たすことができる。
【００２７】
図５は本発明の第２の実施形態を示している。図示のように、本実施形態では、案内孔４６Ａの延在方向が第１の実施形態の案内孔４６の延在方向と逆になっている。すなわち、本実施形態の案内孔４６Ａは、スピニングリール１の後端側から見て例えば左側へとスプール１０の先端側へ向けて直線状（曲線状であっても良い）に延びている。なお、それ以外の構成は第１の実施形態と同一であり、したがって、第１の実施形態と同様の作用効果を得ることができる。
【００２８】
図６および図７は本発明の第３の実施形態を示している。図示のように、本実施形態の案内孔４６Ｂは、スプール１０の軸方向と該軸方向に対して所定の角度を成す互いに反対側に向かう２つの方向とにわたって延びている。具体的には、案内孔４６Ｂは、スプール１０の先端側へ向けて左右に広がるように軸方向に延びる略扇形状を成しており、スピニングリール１の後端側から見て右側へとスプール１０の先端側へ向けて直線状に延びる第１の側面４６ａと、スピニングリール１の後端側から見て左側へとスプール１０の先端側へ向けて直線状に延びる第２の側面４６ｂと、第１の側面４６ａの先端と第２の側面４６ｂの先端とを繋ぐように円弧状に延びる先端面４６ｃとを有している。なお、それ以外の構成は第１の実施形態と同一であり、したがって、第１の実施形態と同様の作用効果を得ることができるとともに、多様な方向で作用する衝撃力を効果的に分散吸収することができる。
【００２９】
図８および図９は本発明の第４の実施形態を示している。図示のように、本実施形態の釣糸係止装置３０は、係止部材４０をスラスト方向（図８の軸方向下向き）に付勢する皿状の板バネ６０を更に有している。板バネ６０は、緩衝部材５０の内端部の周囲に嵌め付けられており、その外周縁部がスプール１０の内壁に弾発性をもって当接されることにより、係止部材４０をスプール１０の内側に引き込む方向に付勢する。なお、それ以外の構成は第１の実施形態と同一であり、したがって、第１の実施形態と同様の作用効果を得ることができるとともに、釣糸Ｌの挟着力を高めることができる。
【００３０】
なお、本発明は、前述した実施形態に限定されず、要旨を逸脱しない範囲で種々変形して実施可能である。例えば、前述した実施形態では、案内孔４６（貫通孔１７）がスプールに設けられているが、スプールの近傍の任意の部位に設けられていても良い。また、前述した実施形態では、付勢部材としてスプリング４５（バネ部材６０）が挙げられているが、係止部材４０をその移動方向で付勢する付勢部材は、バネに限らず、ゴム、加圧気体、加圧液体など、係止部材４０に付勢力を与えることができるものであれば何でも良い。また、釣糸係止部４０ａとスプール１０との間での釣糸Ｌの挟着形態も前述した構成に限定されず、釣糸係止部４０ａとスプール１０との間で釣糸Ｌを挟着できればどのような形態であっても良い。例えば、前述した実施形態では、釣糸係止部４０ａが、係止部材４０に一体に取り付けられた緩衝部材５０のフランジ部５０ａによって構成されているが、釣糸係止部４０ａが係止部材４０自体によって形成され、係止部材４０とスプール１０との間で直接に釣糸Ｌが挟着されても良い。
【符号の説明】
【００３１】
１  スピニングリール（魚釣用リール）
１０  スプール
１７  貫通孔
３０  釣糸係止装置
４０  係止部材
４０ａ  釣糸係止部
４０ｂ  軸部
４３  抜け止め部材
４５  スプリング（案内手段；付勢部材）
４６  案内孔（案内手段）
５０  緩衝部材
６０  バネ部材（付勢部材）
Ｌ  釣糸
【図１】
2010166852.tif 000003
【図２】
2010166852.tif 000004
【図３】
2010166852.tif 000005
【図４】
2010166852.tif 000006
【図５】
2010166852.tif 000007
【図６】
2010166852.tif 000008
【図７】
2010166852.tif 000009
【図８】
2010166852.tif 000010
【図９】
2010166852.tif 000011